(57)【要約】 【課題】  音声信号に基づき発音するケースから突出させたイヤーチップについて、その突出長の調節が可能で、装着性および音質を向上させることができるようにする。【解決手段】  イヤホン本体１は音声信号に基づき音を発音する。音通筒体３は、イヤホン本体１の前面から突出され、発音された音を外部に導く。イヤーチップ５は、その音通筒体３に嵌められた可撓性を有する。イヤーチップ５は、その音通筒体３に対し当該中心軸Ｘ方向に変位可能に固定される。【選択図】  図１
2010130034.tif 000002
【特許請求の範囲】
【請求項１】
音声信号に基づき発音するイヤホン本体と、
このイヤホン本体のケース前面から突出され前記発音された音を外部に導く音通筒体と、
この音通筒体に嵌合された可撓性を有するイヤーチップと、
を具備し、
前記イヤーチップは、前記音通筒体に対し当該軸方向に変位可能に固定されてなることを特徴とするイヤホン装置。
【請求項２】
前記音通筒体は、前記イヤホン本体の中心軸で突出する請求項１記載のイヤホン装置。
【請求項３】
前記音通筒体は、前記イヤホン本体の中心軸に対して斜めに突出する請求項１記載のイヤホン装置。
【請求項４】
前記イヤーチップは、前記音通筒体との嵌合部が膨出するよう厚く形成された請求項１〜３いずれか１記載のイヤホン装置。
【請求項５】
前記イヤーチップと前記音通筒体との当接面が粗面形成されてなる請求項１〜４いずれか１記載のイヤホン装置。
【請求項６】
前記イヤーチップは、前記音通筒体の外周に当該軸方向に複数形成された凹部のいずれかに嵌合されてなる請求項１〜４いずれか１記載のイヤホン装置。
【請求項７】
前記イヤーチップは、前記音通筒体の外周にねじ込まれてなる請求項１〜４いずれか１記載のイヤホン装置。
【発明の詳細な説明】
【技術分野】
【０００１】
本発明はイヤホン装置に係り、例えば携帯用のオーディオ機器に使用する密閉形挿入式のイヤホン装置の改良に関する。
【背景技術】
【０００２】
従来、この種のイヤホン装置は、例えば図７Ａに示すように、イヤホン本体１から突出させた音通筒体３に軟質ゴムからなるイヤーチップ５を取り付け、イヤーチップ５の先端から音が外部へ発射される構成が知られている。
【０００３】
このイヤホン装置は、耳珠７、耳甲介９および対耳珠１１で囲まれた領域にイヤホン本体１を位置させるとともに、イヤーチップ５を外耳道１３に密着するよう挿入して使用される。なお、図７は、左耳断面を模写的に示したものである（以下同じ。）。
【０００４】
その際、ユーザは、嗜好、自身の外耳道１３の大きさに応じ、供給先がイヤホン装置に予め付属させた寸法やデザインの異なる複数のイヤーチップ５の中から選択し、それを使用するのが一般的である。
【０００５】
そして、この種のイヤホン装置は、軟質ゴムからなるイヤーチップ５を外耳道１３に嵌めて使用するから、痛みを伴うといった装着感を低下させずに、低音の再生能力に優れ、音漏れが少なく小型に構成可能であるし、騒音下でも、遮音性が高いことによる音質が良好で、アウトドア使用に限らず、種々の場面で使用されるようになってきた。
【０００６】
さらに、一般に、ユーザの外耳道１３が斜めに延びることから、図７Ｂに示すように、イヤホン本体１から音通筒体３を斜めに突出させ、これにイヤーチップ５を取り付ける構成も提供されるようになってきた。
【０００７】
上述した図７Ａの構成に類似した特許文献としては、例えば特開２００５−１９１６６３号公報（特許文献１）のインサート型ヘッドホンがある。
【０００８】
この特許文献１は、振動板の前面の放音側を保護するプロテクタ板および背面側で振動板駆動回路の一部をなすと共に外周端壁で振動板外周を保持するヨーク板を備えるドライバーユニットと、ドライバーユニットを収容してプロテクタ板前面の放音空間およびヨーク板後方の外部と連通した背面空間を区画するハウジングと、放音空間を背面空間に通気抵抗体を介して連通する連通路とを備え、この連通路をヨーク板の外周端壁にスリットを設け、耳孔に装着したとき密閉される振動板前面の放音空間を振動板背面側の空間を介して外部に連通し、放音空間に音のコモリが生じることを防止して周波数特性を向上させたものである。
【０００９】
さらに、上述した図７Ｂの構成に類似した特許文献としては、例えば特開２００７−１８９４６８号公報（特許文献２）のイヤホン装置がある。
【００１０】
この特許文献２は、ドライバーユニットを有するハウジングと、そのハウジングの前面に突設した状態で取り付けられた音導管とを具え、その音導管がハウジングの中心位置より外側に配置され、その音導管の先端部分がハウジングの中心位置から離れる方向に向けられてなる構成を有し、装着感や音質を向上させたものである。
【特許文献１】特開２００５−１９１６６３号公報
【特許文献２】特開２００７−１８９４６８号公報
【発明の開示】
【発明が解決しようとする課題】
【００１１】
しかしながら、上述した図７Ａや特許文献１の構成では、イヤホン装置が耳には主に外耳道１３に対するイヤーチップ５の摩擦力のみで保持されるうえ、本体ケース１に対するイヤーチップ５の距離が固定されているから、装着固定状態を維持し、イヤーチップ５が抜けに難いように強く挿入するとか、逆に圧迫感を嫌ってゆるく挿入するといった使用の多様性に対応するには、改善の余地がある。
【００１２】
しかも、低音の好きなユーザは、イヤーチップ５による密閉度を高くするため、強く深く挿入し、低音の嫌いなユーザはその逆の使い方となり、この点でも使用の多様性が求められており、改善が求められている。
【００１３】
他方、上述した図７Ｂや特許文献２の構成では、耳珠７、耳甲介９および対耳珠１１で囲まれた領域にイヤホン本体１を嵌めて支持させるが、本体ケース１の耳への装着条件とイヤーチップ５による外耳道１３への密着条件とが必ずしも一致せず、幅広いユーザに対応できるような、装着固定性および音質を向上させるには、同様に改善が求められている。
【００１４】
本発明はそのような課題を解決するためになされたもので、イヤホン本体のケースからイヤーチップがいずれの方向に突出するように配置されていても、装着性および音質を向上させることが可能なイヤホン装置の提供を目的とする。
【課題を解決するための手段】
【００１５】
そのような課題を解決するために本発明に係るイヤホン装置は、音声信号に基づき発音するイヤホン本体と、このイヤホン本体のケース前面から突出され発音された音を外部に導く音通筒体と、この音通筒体に嵌合された可撓性を有するイヤーチップとを具備し、上記イヤーチップは、その音通筒体に対し当該軸方向に変位可能に固定されてなる構成を有している。
【００１６】
本発明のイヤホン装置は、上記音通筒体が、そのイヤホン本体の中心軸で突出する構成も可能である。
【００１７】
本発明のイヤホン装置は、上記音通筒体が、そのイヤホン本体の中心軸に対して斜めに突出する構成も可能である。
【００１８】
本発明のイヤホン装置は、上記イヤーチップが、その音通筒体との嵌合部が膨出するよう厚く形成された構成も可能である。
【００１９】
本発明のイヤホン装置は、上記イヤーチップと音通筒体との当接面が粗面形成されてなる構成も可能である。
【００２０】
本発明のイヤホン装置は、上記イヤーチップが、その音通筒体の外周に当該軸方向に複数形成された凹部のいずれかに嵌合される構成も可能である。
【００２１】
本発明のイヤホン装置は、上記イヤーチップが、その音通筒体の外周にねじ込まれてなる構成も可能である。
【発明の効果】
【００２２】
このような本発明に係るイヤホン装置では、イヤホン本体のケース前面から突出された音通筒体に、可撓性を有するイヤーチップを嵌め、そのイヤーチップを音通筒体に対し当該軸方向に変位可能に固定するから、ケースからイヤーチップがいずれの方向に突出するように配置されていても、装着性および音質を向上させることが可能である。
【００２３】
本発明のイヤホン装置では、上記音通筒体が、そのイヤホン本体の中心軸で突出するよう構成しても、装着性および音質を向上させることが可能である。
【００２４】
本発明のイヤホン装置では、上記音通筒体が、そのイヤホン本体の中心軸に対して斜めに突出するよう構成しても、装着性および音質を向上させることが可能である。
【００２５】
本発明のイヤホン装置では、上記イヤーチップが、その音通筒体との嵌合部が膨出するよう厚く形成された構成にすれば、イヤーチップの音通筒体に対する嵌合強度を向上させることが可能である。
【００２６】
本発明のイヤホン装置では、上記イヤーチップと音通筒体との当接面を粗面形成して構成すれば、イヤーチップの音通筒体に対する固定強度が確保されるとともに、構成も簡単になる。
【００２７】
本発明のイヤホン装置では、上記イヤーチップが、その音通筒体の外周に当該軸方向に複数形成された凹部のいずれかに嵌合される構成にすれば、イヤーチップの音通筒体に対する嵌合強度を向上させることが可能である。
【００２８】
本発明のイヤホン装置では、上記イヤーチップが、その音通筒体の外周にねじ込まれる構成にすれば、イヤーチップの音通筒体に対する固定強度を確保するとともに、ケースからイヤーチップの突出長の調整も容易である。
【発明を実施するための最良の形態】
【００２９】
以下、本発明に係るイヤホン装置の実施の形態を図面を参照して説明する。なお、従来例と共通する部分には同一の符号を付す。
【００３０】
図１は本発明に係るイヤホン装置の実施の一形態を示す縦断面図である。
【００３１】
図１において、イヤホン本体１と、これから延びる音通筒体３に取り付けられたイヤーチップ５とを有して構成されている。
【００３２】
イヤホン本体１は、合成樹脂からカップ状に成形された本体ケース１５と、この本体ケース１５の内底に固定されたマグネット１７と、このマグネット１７の先端に間隔を置くようにして本体ケース１５に固定された振動膜１９と、この振動膜１９に固定されマグネット１７の外周を覆うボイスコイル２１と、合成樹脂から成形され振動膜１９を覆うように本体ケース１５に被せられたキャップ状の蓋体２３から形成されている。本体ケース１５と蓋体２３によってケース２５が形成されている。
【００３３】
マグネット１７、振動膜１９およびボイスコイル２１は同軸状に配置されており、蓋体２３にあってその中心軸Ｘに相当する部分には音通孔２７が形成され、この音通孔２７を囲むような細長い音通筒体３が蓋体２３から一体的に突出形成され、音通筒体３の先端にはフランジ２９が形成され、音通筒体３にイヤーチップ５が着脱可能に固定されている。なお、音通筒体３の外周全体は粗面加工されて細かい凹凸が形成されている。
【００３４】
イヤーチップ５は、フランジ２９の外周に当接するように嵌るスライド筒３１と、このスライド筒３１の一方の先端から外部に膨張するように湾曲して折り返された環状のひれ状部３３と、このスライド筒３１の他方の先端からスライド筒３１を狭めるように形成され、音通筒体３の外周に当接してこれに支持される円板状の支持部３５と、を一体的に有している。
【００３５】
すなわち、イヤーチップ５は、支持部３５に形成した中心孔３７を広げて音通筒体３の外周に嵌合されるとともに、中心孔３７を形成する部分を音通筒体３に当接させることにより音通筒体３に支持されている。
【００３６】
イヤーチップ５にあって中心孔３７を形成する内面は、粗面加工されて細かい凹凸が形成されており、音通筒体３の外周の細かい凹凸との間で、イヤーチップ５の音通筒体３に対する係止部が形成されている。
【００３７】
イヤーチップ５の支持部３５は、スライド筒３１よりも大径になって膨出部３９を有し、音通筒体３への支持を確保している。
【００３８】
しかも、イヤーチップ５は、支持部３５がフランジ２９側から蓋体２３近傍まで音通筒体３外周を中心軸Ｘに沿ってスライド可能になっており、本体ケース１５に対して突出長の調整が可能になっている。
【００３９】
イヤホン本体１は、図示しないケーブルからボイスコイル２１に音声信号を流して振動膜１９を振動させ、振動膜１９の振動を介して発音動作し、その発音が音通筒体３を介して、イヤーチップ５から外部へ発射される。
【００４０】
このような構成のイヤホン装置は、例えば図１に示すように、イヤーチップ５をフランジ２９側にスライドさせ、本体ケース１５に対して最も突出させた状態で耳に装着する。
【００４１】
すると、例えば図２に示すように、耳珠７、耳甲介９および対耳珠１１で囲まれた領域にイヤホン本体１が位置し、イヤーチップ５が外耳道１５の奥に挿入されてひれ状部３３が密着する。
【００４２】
逆に、図３に示すように、イヤーチップ５を蓋体２３側にスライドさせた状態で耳に装着すれば、図示はしないが、イヤーチップ５が外耳道１５の入り口近傍に密着する。
【００４３】
このように本発明のイヤホン装置は、音声信号に基づき発音するイヤホン本体１と、このイヤホン本体１のケース２５前面から突出され発音された音を外部に導く音通筒体３と、この音通筒体３に嵌められた可撓性を有するイヤーチップ５とを具備し、上記イヤーチップ５は、その音通筒体３に対し当該中心軸Ｘ方向に変位可能に固定されてなる構成を有するとともに、音通筒体３の外周には細かい凹凸が、音通筒体３にあって中心孔３７を形成する内面には細かい凹凸が形成されている。
【００４４】
そのため、ケース１からイヤーチップ５の突出長さの調節が可能であるうえ、音通筒体３の外周の細かい凹凸との間で、イヤーチップ５の音通筒体３に対する係止部が形成され、多少力を加えても音通筒体３に対してイヤーチップ５が引っ掛かってスライドせず一時的に固定可能となり、装着性および音質を向上させることが容易である。
【００４５】
しかも、イヤーチップ５が、この支持部３５がスライド筒３１よりも大径になって膨出部３９を有し、音通筒体３との嵌合部が厚く形成されているから、イヤーチップ５の音通筒体３に対する嵌合強度が向上する。
【００４６】
ところで、上述した構成のイヤホン装置は、イヤーチップ５の支持部３５を円筒状の音通筒体３の外周に、単に嵌めてスライド可能に構成したが、本発明はこれに限定されない。
【００４７】
例えば、図４に示すように、音通筒体３の外周に係止部としての環状の凹部４１を当該中心軸Ｘ方向に複数形成し、イヤーチップ５の支持部３５をその凹部４１に嵌合するように嵌める構成も可能である。その他の構成は、図１と同様である。
【００４８】
もっとも、音通筒体３の外周に形成する凹部４１は、音通筒体３の外周を一周するように環状に形成する必要はなく、図示はしないが、突起を形成してイヤーチップ５の支持部３５が嵌合するように形成すれば、本発明の目的達成が可能である。
【００４９】
このような構成のイヤホン装置では、凹部４１を選択してイヤーチップ５の支持部３５を嵌合すれば、イヤーチップ５がフランジ２９側から蓋体２３近傍まで、その突出長の調整が可能になる。
【００５０】
また、本発明のイヤホン装置では、図５に示すように、音通筒体３の外周にねじ部４３（係止部）を形成し、イヤーチップ５の中心孔３７を形成する内面には、そのねじ部４３にねじ込まれるねじ部４５（係止部）を形成する構成も可能である。その他の構成は、図１と同様である。
【００５１】
このような構成では、イヤーチップ５を音通筒体３の外周にねじ込んで回転させれば、イヤーチップ５の音通筒体３に対する一時的固定強度を確保可能になるとともに、ケース２５からイヤーチップ５の突出長の調整も容易である。
【００５２】
さらに、この構成のイヤホン装置では、図６の破線で示すように、中心軸Ｘから所定の鋭角θの軸Ｙに沿って斜め外側方向に細長い音通筒体３を形成し、この音通筒体３にイヤーチップ５を着脱可能に固定する構成も可能である（図７Ｂ参照）。
【００５３】
この構成においても、図１の構成の他に図４に示すような凹部４１を音通筒体３に形成し、その凹部４１に嵌合するようにイヤーチップ５を嵌める構成も可能である。
【００５４】
この構成のイヤホン装置では、上記イヤーチップ５が、イヤホン本体１の中心軸Ｘに対して斜めに突出するから、耳珠７、耳甲介９および対耳珠１１で囲まれた領域にイヤホン本体１を位置させ、イヤーチップ５を外耳道１５に挿入して使用する構成に好適し、装着性および音質を向上させることが可能である。
【００５５】
なお、イヤホン本体１内の音声信号を音の変換する構成も、上述したように、マグネット１７、振動膜１９およびボイスコイル２１からなる構成に限定されず、例えば、圧電振動子によっても構成可能である。
【図面の簡単な説明】
【００５６】
【図１】本発明に係るイヤホン装置の実施の形態を示す横断面図である。
【図２】本発明に係るイヤホン装置の使用例を示す概略断面図である。
【図３】本発明に係るイヤホン装置の使用例を示す横断面図である。
【図４】本発明に係るイヤホン装置の他の実施の形態を示す横断面図である。
【図５】本発明に係るイヤホン装置の他の実施の形態を示す横断面図である。
【図６】本発明に係るイヤホン装置の他の実施の形態を示す横断面図である。
【図７】従来のイヤホン装置を示す断面図（一部側面で示す。）である。
【符号の説明】
【００５７】
１  イヤホン本体
３  音通筒体
５  イヤーチップ
７  耳珠
９  耳甲介
１１  対耳珠
１３  外耳道
１５  本体ケース
１７  マグネット
１９  振動膜
２１  ボイスコイル
２３  蓋体
２５  ケース
２７  音通孔
２９  フランジ
３１  スライド筒
３３  ひれ状部
３５  支持部
３７  中心孔（係止部）
３９  膨出部
４１  凹部（係止部）
４３、４５  ねじ部（係止部）
【図１】
2010130034.tif 000003
【図２】
2010130034.tif 000004
【図３】
2010130034.tif 000005
【図４】
2010130034.tif 000006
【図５】
2010130034.tif 000007
【図６】
2010130034.tif 000008
【図７】
2010130034.tif 000009